(57)【要約】【課題】マルチパス記録方式で発生し得る、黒画像とカラー画像との境界で生じ得る色間にじみを低減した高品位な画像を記録する。【解決手段】ブラックインクを吐出するヘッド１０２Ｂｋとカラーインクを吐出するヘッド１０２Ｃそれぞれを、各ヘッドにおいて配列する吐出口の４ピッチ分記録媒体を搬送する紙送りを挟んで３回の走査を行ない上記４ピッチ分に対応する走査領域に異なる吐出口を対応付けてその領域の記録を完成するマルチパス記録を行なう場合に、まず、ブラックヘッド１０２Ｂｋにより黒画像（１）の記録を完成し、次に、カラーヘッド１０２Ｃにより黒画像（１）に隣接してカラー画像（２）の記録を完成するが、黒画像の記録を完成する走査とカラー画像の記録にかかる最初の走査との間に、黒画像（１）が記録された領域に対して記録が行われない走査が存在するよう、ヘッド１０２Ｂｋとカラーヘッド１０２Ｃそれぞれの間の吐出口配列を定める。【選択図】図１２
2011046206.tif 000002
【特許請求の範囲】
【請求項１】
記録媒体に対して記録ヘッドを相対的に走査させながらインクを吐出して記録を行うインクジェット記録方法であって、
前記記録ヘッドは、第１の種類のインクを吐出するための第１の吐出口列と前記第１の種類のインクよりも浸透性の高い第２の種類のインクを吐出するための第２の吐出口列とを前記走査の方向とは異なる方向に配列し、
前記第１の吐出口列で画像を完成させる前記走査の回数がｍ（ｍ：正の整数）、前記第２の吐出口列で画像を完成させる前記走査の回数がｎ（ｎ：正の整数で、ｍとｎは異なる）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる給紙側最端部の吐出口の位置が、前記第１の吐出口列に対し前記第２の吐出口列が記録媒体の搬送に関わる排紙方向へ（ｍ＋ａ）×Ｌの長さ（ａ：正の整数）離れていることを特徴とするインクジェット記録方法。
【請求項２】
記録媒体に対して記録ヘッドを相対的に走査させながらインクを吐出して記録を行うインクジェット記録方法であって、
前記記録ヘッドは、第１の種類のインクを吐出するための第１の吐出口列と前記第１の種類のインクよりも浸透性の高い第２の種類のインクを吐出するための第２の吐出口列とを前記走査の方向とは異なる方向に配列し、
前記第１の吐出口列で画像を完成させる前記走査の回数がｍ（ｍ：正の整数）、前記第２の吐出口列で画像を完成させる前記走査の回数がｎ（ｎ：正の整数で、ｍとｎは異なる）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる排紙側最端部の吐出口の位置が、前記第１の吐出口列に対し前記第２の吐出口列が記録媒体の搬送に関わる給紙方向へ（ｍ＋ａ）×Ｌの長さ（ａ：正の整数）離れていることを特徴とするインクジェット記録方法。
【請求項３】
記録媒体に対して記録ヘッドを相対的に走査させながらインクを吐出して記録を行うインクジェット記録方法であって、
前記記録ヘッドは、第１の種類のインクを吐出するための第１の吐出口列と前記第１の種類のインクよりも浸透性の高い第２の種類のインクを吐出するための第２の吐出口列とを前記走査の方向とは異なる方向に配列し、
前記第１の吐出口列で画像を完成させる前記走査の回数がｍ（ｍ：正の整数）、前記第２の吐出口列で画像を完成させる前記走査の回数がｎ（ｎ：正の整数で、ｍとｎは異なる）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる給紙側最端部の吐出口の位置が、前記第１の吐出口列に対し前記第２の吐出口列が記録媒体の搬送に関わる排紙方向へ（ｍ＋ａ）×Ｌより大きく（ｍ＋ａ＋１）×Ｌより小さい長さ（ａ：正の整数）離れていることを特徴とするインクジェット記録方法。
【請求項４】
記録媒体に対して記録ヘッドを相対的に走査させながらインクを吐出して記録を行うインクジェット記録方法であって、
前記記録ヘッドは、第１の種類のインクを吐出するための第１の吐出口列と前記第１の種類のインクよりも浸透性の高い第２の種類のインクを吐出するための第２の吐出口列とを前記走査の方向とは異なる方向に配列し、
前記第１の吐出口列で画像を完成させる前記走査の回数がｍ（ｍ：正の整数）、前記第２の吐出口列で画像を完成させる前記走査の回数がｎ（ｎ：正の整数で、ｍとｎは異なる）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる排紙側最端部の吐出口の位置が、前記第１の吐出口列に対し前記第２の吐出口列が記録媒体の搬送に関わる給紙方向へ（ｍ＋ａ）×Ｌより大きく（ｍ＋ａ＋１）×Ｌより小さい長さ（ａ：正の整数）離れていることを特徴とするインクジェット記録方法。
【請求項５】
前記第１の吐出口列で画像を完成させる前記ｍ回の走査の各走査の後に記録媒体を搬送する量と、前記第２の吐出口列で画像を完成させる前記ｎ回の走査の各走査の後に記録媒体を搬送する量が等しいことを特徴とする請求項１ないし４のいずれかに記載のインクジェット記録方法。
【請求項６】
前記第１の吐出口列の長さと前記第２の吐出口列の長さが等しいことを特徴とする請求項１から５のいずれかに記載のインクジェット記録方法。
【請求項７】
前記第１の吐出口列の長さと前記第２の吐出口列の長さが異なることを特徴とする請求項１から５のいずれかに記載のインクジェット記録方法。
【請求項８】
前記第１の吐出口列の長さが、前記第２の吐出口列の長さよりも長いことを特徴とする請求項７に記載のインクジェット記録方法。
【請求項９】
前記第１の種類のインクのブリストウ法におけるＫａ値が前記第２の種類のインクのブリストウ法におけるＫａ値よりも小さいことを特徴とする請求項１から８のいずれかに記載のインクジェット記録方法。
【請求項１０】
前記第１の種類のインクは、ブラックのインクであることを特徴とする請求項１から９のいずれかに記載のインクジェット記録方法。
【請求項１１】
前記第２の種類のインクは、カラーのインクであることを特徴とする請求項１から１０のいずれかに記載のインクジェット記録方法。
【請求項１２】
前記カラーのインクは、少なくともシアン、マゼンタ、イエローのいずれかであることを特徴とする請求項１１に記載のインクジェット記録方法。
【請求項１３】
それぞれ複数の吐出口を備える第１の吐出口列と第２の吐出口列とを備えた記録ヘッドを記録媒体に対して走査させて記録を行うインクジェット記録方法であって、
前記第１の吐出口列から第１の種類のインクを吐出させながら前記記録ヘッドを走査させて前記記録媒体上の所定領域に記録を行う工程、
前記第２の吐出口列から前記第１の種類のインクより浸透性の高い第２の種類のインクを吐出させながら前記記録ヘッドを走査させて前記第１の吐出口列により記録された前記所定領域に記録を行う工程、
前記記録ヘッドの走査と走査の間で前記記録媒体を前記所定領域の幅だけ搬送する工程、
前記第１の吐出口列により記録を行うときと前記第２の吐出口列により記録を行うときの少なくとも一方において前記記録ヘッドを複数回走査させる工程とを有し、
前記第１の吐出口列により記録を行うときの前記記録ヘッドの走査回数と前記第２の吐出口列により記録を行うときの前記記録ヘッドの走査回数とは異なり、
前記第１の吐出口列により記録を行うときの前記記録ヘッドの前記所定領域に対する最後の走査と前記第２の吐出口列により記録を行うときの前記記録ヘッドの前記所定領域に対する最初の走査との間に記録を行わない前記記録ヘッドの走査が介在することを特徴とするインクジェット記録方法。
【請求項１４】
記録媒体に対して記録ヘッドを相対的に走査させながらインクを吐出して記録を行うインクジェット記録装置であって、
前記記録ヘッドは、第１の種類のインクを吐出するための第１の吐出口列と前記第１の種類のインクよりも浸透性の高い第２の種類のインクを吐出するための第２の吐出口列とを前記走査の方向とは異なる方向に配列し、
前記第１の吐出口列で画像を完成させる前記走査の回数がｍ（ｍ：正の整数）、前記第２の吐出口列で画像を完成させる前記走査の回数がｎ（ｎ：正の整数で、ｍとｎは異なる）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる給紙側最端部の吐出口の位置が、前記第１の吐出口列に対し前記第２の吐出口列が記録媒体の搬送に関わる排紙方向へ（ｍ＋ａ）×Ｌの長さ（ａ：正の整数）離れていることを特徴とするインクジェット記録装置。
【請求項１５】
記録媒体に対して記録ヘッドを相対的に走査させながらインクを吐出して記録を行うインクジェット記録装置であって、
前記記録ヘッドは、第１の種類のインクを吐出するための第１の吐出口列と前記第１の種類のインクよりも浸透性の高い第２の種類のインクを吐出するための第２の吐出口列とを前記走査の方向とは異なる方向に配列し、
前記第１の吐出口列で画像を完成させる前記走査の回数がｍ（ｍ：正の整数）、前記第２の吐出口列で画像を完成させる前記走査の回数がｎ（ｎ：正の整数で、ｍとｎは異なる）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる排紙側最端部の吐出口の位置が、前記第１の吐出口列に対し前記第２の吐出口列が記録媒体の搬送に関わる給紙方向へ（ｍ＋ａ）×Ｌの長さ（ａ：正の整数）離れていることを特徴とするインクジェット記録装置。
【請求項１６】
記録媒体に対して記録ヘッドを相対的に走査させながらインクを吐出して記録を行うインクジェット記録装置であって、
前記記録ヘッドは、第１の種類のインクを吐出するための第１の吐出口列と前記第１の種類のインクよりも浸透性の高い第２の種類のインクを吐出するための第２の吐出口列とを前記走査の方向とは異なる方向に配列し、
前記第１の吐出口列で画像を完成させる前記走査の回数がｍ（ｍ：正の整数）、前記第２の吐出口列で画像を完成させる前記走査の回数がｎ（ｎ：正の整数で、ｍとｎは異なる）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる給紙側最端部の吐出口の位置が、前記第１の吐出口列に対し前記第２の吐出口列が記録媒体の搬送に関わる排紙方向へ（ｍ＋ａ）×Ｌより大きく（ｍ＋ａ＋１）×Ｌより小さい長さ（ａ：正の整数）離れていることを特徴とするインクジェット記録装置。
【請求項１７】
記録媒体に対して記録ヘッドを相対的に走査させながらインクを吐出して記録を行うインクジェット記録装置であって、
前記記録ヘッドは、第１の種類のインクを吐出するための第１の吐出口列と前記第１の種類のインクよりも浸透性の高い第２の種類のインクを吐出するための第２の吐出口列とを前記走査の方向とは異なる方向に配列し、
前記第１の吐出口列で画像を完成させる前記走査の回数がｍ（ｍ：正の整数）、前記第２の吐出口列で画像を完成させる前記走査の回数がｎ（ｎ：正の整数で、ｍとｎは異なる）で、ｍとｎのうち少なくとも一方は２以上であり、１回の前記走査毎に当該走査の方向とは異なる方向に記録媒体を搬送する搬送量をＬ（Ｌ：正の数）とする記録を行ない、
前記第１、第２の吐出口列それぞれについて、記録媒体の搬送に関わる排紙側最端部の吐出口の位置が、前記第１の吐出口列に対し前記第２の吐出口列が記録媒体の搬送に関わる給紙方向へ（ｍ＋ａ）×Ｌより大きく（ｍ＋ａ＋１）×Ｌより小さい長さ（ａ：正の整数）離れていることを特徴とするインクジェット記録装置。
【請求項１８】
前記第１の吐出口列で画像を完成させる前記ｍ回の走査の各走査の後に記録媒体を搬送する量と、前記第２の吐出口列で画像を完成させる前記ｎ回の走査の各走査の後に記録媒体を搬送する量が等しいことを特徴とする請求項１４ないし１７のいずれかに記載のインクジェット記録装置。
【請求項１９】
前記第１の吐出口列の長さと前記第２の吐出口列の長さが等しいことを特徴とする請求項１４から１８のいずれかに記載のインクジェット記録装置。
【請求項２０】
前記第１の吐出口列の長さと前記第２の吐出口列の長さが異なることを特徴とする請求項１４から１８のいずれかに記載のインクジェット記録装置。
【請求項２１】
前記第１の吐出口列の長さが、前記第２の吐出口列の長さよりも長いことを特徴とする請求項２０に記載のインクジェット記録装置。
【請求項２２】
前記第１の種類のインクのブリストウ法におけるＫａ値が前記第２の種類のインクのブリストウ法におけるＫａ値よりも小さいことを特徴とする請求項１４から２１のいずれかに記載のインクジェット記録装置。
【請求項２３】
前記第１の種類のインクは、ブラックのインクであることを特徴とする請求項１４から２２のいずれかに記載のインクジェット記録装置。
【請求項２４】
前記第２の種類のインクは、カラーのインクであることを特徴とする請求項１７から２３のいずれかに記載のインクジェット記録装置。
【請求項２５】
前記カラーのインクは、少なくともシアン、マゼンタ、イエローのいずれかであることを特徴とする請求項２４に記載のインクジェット記録装置。
【請求項２６】
それぞれ複数の吐出口を備える第１の吐出口列と第２の吐出口列とを備えた記録ヘッドを記録媒体に対して走査させて記録を行うインクジェット記録装置であって、
前記第１の吐出口列から第１の種類のインクを吐出させながら前記記録ヘッドを走査させて前記記録媒体上の所定領域に記録を行う工程、
前記第２の吐出口列から前記第１の種類のインクより浸透性の高い第２の種類のインクを吐出させながら前記記録ヘッドを走査させて前記第１の吐出口列により記録された前記所定領域に記録を行う工程、
前記記録ヘッドの走査と走査の間で前記記録媒体を前記所定領域の幅だけ搬送する工程、
前記第１の吐出口列により記録を行うときと前記第２の吐出口列により記録を行うときの少なくとも一方において前記記録ヘッドを複数回走査させる工程とを有し、
前記第１の吐出口列により記録を行うときの前記記録ヘッドの走査回数と前記第２の吐出口列により記録を行うときの前記記録ヘッドの走査回数とは異なり、
前記第１の吐出口列により記録を行うときの前記記録ヘッドの前記所定領域に対する最後の走査と前記第２の吐出口列により記録を行うときの前記記録ヘッドの前記所定領域に対する最初の走査との間に記録を行わない前記記録ヘッドの走査が介在することを特徴とするインクジェット記録装置。
【発明の詳細な説明】
【技術分野】
【０００１】
本発明は、インクジェット記録方法およびインクジェット記録装置に関し、詳しくは、ブラックインクやその他のカラーインクを用いて記録を行なう場合の黒画像記録領域とカラー画像記録領域との境界におけるにじみを低減する構成に関するものである。
【背景技術】
【０００２】
プリンタ、複写機、ファクシミリ等の機能を有する記録装置、あるいはコンピュータやワードプロセッサ等を含む複合型電子機器やワークステーションなどで処理される情報の出力機器として用いられる記録装置は、画像情報（文字情報等を含む）に基づいて、用紙やプラスチック薄板等の記録媒体に画像（文字等を含む）の記録を行なうように構成されている。このような記録装置は、記録方式により、インクジェット方式、ワイヤドット方式、熱転写方式、レーザービーム方式等に分けることができる。このうち、インクジェット方式の記録装置（以下、インクジェット記録装置ともいう）は、記録ヘッドから記録媒体にインクを吐出して記録を行うものであり、他の記録方式に比べて高精細化が容易でしかも高速で静粛性の高い記録を行なうことができ、さらに装置が比較的安価であるという種々の利点を有している。
【０００３】
このようなインクジェト記録装置に対し、一方でカラー記録のニーズも多く、カラーインクジェット記録装置も数多く提供されている。インクジェット記録装置は、記録速度の向上等のため、複数の記録素子を集積配列した記録ヘッドとして、インク吐出部としてのインク吐出口及び液路を複数集積したものを用い、さらにカラー記録に対応するため、各色のインクに対応して複数の記録ヘッドを備えたものが一般的である。
【０００４】
図１はインクジェット記録装置における主に記録部の概略構成の一例を示す斜視図である。
【０００５】
同図において、キャリッジ１０６には、記録ヘッド１０２とインクカートリッジ１０１が着脱自在に搭載されて記録に用いられる。すなわち、記録ヘッドおよびインクカートリッジは、ブラックインク(Ｂｋ)と、シアン(Ｃ)、マゼンタ(Ｍ)およびイエロー(Ｙ)それぞれのカラーインクに対応して用いられ、各インクの記録ヘッドはキャリッジ１０６の移動によって記録のための走査が行なわれる。以下、この走査を主走査ともいい、その方向を主走査方向という。キャリッジ１０６は、ガイドシャフト１０７と摺動可能に係合し、不図示のモータやベルトなどの駆動機構によって駆動されることによりガイドシャフト１０７に沿って上記移動を行なうができる。
【０００６】
図２は、それぞれの記録ヘッド１０２に配設される吐出口をｚ方向(図１)から見た図である。同図において、２０１は記録ヘッド１０２上にｎ個が配列された吐出口であり、各吐出口はそれぞれＮｄｐｉの密度で配列されている。この記録ヘッドは、種々の吐出方式を採用することができるが、例えば電気熱変換体が発生する熱エネルギーを利用してインクに気泡を生じさせ、この気泡の圧力によってインクを吐出する方式を用いることができる。
【０００７】
再び図１を参照すると、１０３は紙送りローラであり、補助ローラ１０４とともに記録紙Ｐを抑えながら同図中、矢印の方向に回転し、記録媒体としての記録紙Ｐをｙ方向(以下、「副走査方向」ともいう)に随時送っていく。また、１０５は給紙ローラであり記録紙の給紙を行うとともに、ローラ１０３、１０４と同様、記録紙Ｐを一定の張力を付与する役割も果たす。
【０００８】
非記録時には、キャリッジ１０６は、ホームポジションｈに移動して記録命令を待機し、記録時には、ｘ方向に移動しながら、各インクの記録ヘッド１０２の走査を行ない、この走査の間に、ｎ個の吐出口２０１から画像情報に応じてインクを吐出することにより記録を行うことができる。この主走査により記録紙Ｐの紙面端部まで画像情報の記録が終了すると、キャリッジは記録開始位置に戻り、この間に所定量の記録紙Ｐの搬送を行なった後、再びｘ方向へ走査して記録を行うことを繰り返す。
【０００９】
画像等を記録する場合には、記録画像の発色性、階調性、濃度の一様性など様々な画質要素が求められる。特に、濃度一様性について、記録ヘッドの製造過程で生じるわずかな吐出口単位のばらつき等によって、吐出口ごとにインク吐出量や吐出方向にばらつきを生じ、最終的には記録画像の濃度ムラとなって現われる場合があることが知られている。
【００１０】
その具体例を図３、図４を用いて説明する。図３（ａ）において、３１は記録ヘッドを示し、８個の吐出口３２によって構成されているものとする。３３は、８個の各吐出口３２から吐出されたインク滴(インクドロップレット)を示し、この図のようにほぼ同じ吐出量で、また、ほぼ同じ方向にインクが吐出されるのが理想である。この様な理想的な吐出が行われれば、図３（ｂ）に示すように、記録紙面上にほぼ同一の大きさのインクドットが形成され、全体的にも濃度ムラの無い（図３（ｃ））一様な画像が得られる。
【００１１】
しかし、実際には上述したように、吐出口にはその程度はともかくばらつきがあり、そのまま上記と同じように記録を行う場合には、図４（ａ）に示すように、それぞれの吐出口から吐出されるインクドロップの大きさや向きにばらつきを生じ、記録紙面上において図４（ｂ）に示すような、大きさや記録位置がばらついたインクドットが形成される。
【００１２】
この結果、例えば、吐出口の配列方向において周期的にエリアファクター１００％を満たさない記録紙の地の部分が存在しそれが白スジとして発生したり、また、逆に必要以上にドットが重なり合ったり画像が記録されることになる。この様な画像は、吐出口配列方向において、図４（ｃ）に示す濃度分布を有することとなり、これが、人間の肉眼では濃度ムラとして知覚される。また、紙送り量のばらつきに起因したスジが発生する場合もある。
【００１３】
このような濃度むらの対策として、例えば特許文献１において次のような方法が提案されている。図４及び図５を参照してその方法を簡単に説明する。
【００１４】
この方法は、図５(ａ)に示すように、図４等に示した記録領域と同じ記録領域を、４つの吐出口に対応する幅の紙送りを挟んだ記録ヘッド３１による３回の走査によって完成させる。すなわち、記録領域の半分にあたるそれぞれ４つの吐出口に対応する走査領域を２回の走査で完成し、その際、それぞれの走査領域は、１回目の走査では記録ヘッドの８つの吐出口のうち下４つの吐出口を用い、４吐出口分の紙送り後の２回目の走査では、上４つの吐出口を用いて記録が行なわれる。そして、各吐出口について１回の走査では、画像データを所定の画素パターンに従い、約半分に間引いたものによるドット記録を行ない、２回目の走査で残りの半分の画像データによるドット記録を行なって記録を完成させる。以下では、このような記録方法を、マルチパス記録方法と称する。
【００１５】
このマルチパス記録方法によれば、図４に示した、吐出口ごとの吐出特性にばらつきがある記録ヘッドを使用しても、このばらつきに起因したドットの大きさや記録位置のばらつきは分散されるので、記録された画像は図５（ｂ）に示すように、黒スジや白スジとして認識されるほどのドットの偏った形成はなく、これは、図５（ｃ）に示す略一様な濃度分布として認識されることになる。
【００１６】
このマルチパス記録を行う場合、１回目の走査と２回目の走査では、相互補完的なそれぞれの画素パターンに従い間引きを行なうが、この画素パターンとしては図６（ａ）〜（ｃ）に示すように、縦、横の各画素について、市松模様となるものを用いるのが一般的である。この場合、１回目の走査で、図６（ａ）に示すように市松模様の黒に相当する部分の画素の記録を行ない、２回目の走査で図６（Ｂ）に示すように白に相当する画素を記録することによって全体の記録を完成することができる（図６（ｃ））。
【００１７】
以上説明したように、走査方向の同じドット配列からなる各ラインを異なる２つの吐出口を用いて画像が完成されていくことにより、濃度むらの低減された高画質な画像を得ることができる。
【００１８】
以上の濃度むら低減の他に、記録画像の画質を向上させる他の要因として、黒画像とカラー画像の隣接境界におけるにじみを防止する技術が知られている。例えば、特許文献２に開示される方法は、ブラックインクで記録を行う黒画像とカラーインクで記録を行うカラー画像が隣接する場合に、ブラックインク吐出用の吐出群のうち所定の吐出部を使用することにより、黒画像を記録する走査とカラー画像を記録する走査を別の走査とし、かつそれらが連続しないようにするものである。すなわち、黒画像を記録する走査とこの黒画像に隣接するカラー画像を記録する走査との間に別の走査が行なわれることにより、先に記録された例えば黒画像の定着のための時間を確保し、黒画像とカラー画像の隣接境界におけるにじみ（ブリード）を低減した高品位な記録を達成するものである。
【先行技術文献】
【特許文献】
【００１９】
【特許文献１】特開平０６−１４３６１８号公報
【特許文献２】特開平０６−１３５０１４号公報
【発明の概要】
【発明が解決しようとする課題】
【００２０】
しかしながら、前述のマルチパス記録を行なう場合における、黒画像とカラー画像の境界におけるにじみ(以下、「色間にじみ」ともいう)を低減しようとする場合、上記特許文献２に開示される方法をそのまま用いることはできない。すなわち、上記公報に開示される方法は、記録ヘッドのそれぞれ１回の走査で黒画像やカラー画像を記録する方式(以下、「１パス記録」ともいう)であることから、複数回の走査で所定領域の記録を完成させるマルチパス記録方式とは前提とする方式が異なり、その方式をそのまま用いても、定着の時間を確保するための走査をつくりだすことはできない。
【００２１】
なお、色間にじみ以外にも、複数色のインクが記録媒体に着弾した時のインクの押し合いによりその記録部が白っぽくなる現象も上記公報に記載の１パス記録とマルチパス記録では異なる。これらの現象の差は、マルチパス記録方法が濃度むらを防止する効果以外に、単位時間あたり、単位面積あたりに記録するドット数が少ないことによって、記録媒体に対するインクの浸透状態や定着状態が１パス記録と異なることに起因している。
【００２２】
本発明は上述の課題を解消するためになされたものであり、その目的とするところは、マルチパス記録方式で発生し得る色間にじみを低減した高品位な画像を記録することを可能とするインクジェット記録方法およびインクジェット記録装置を提供することにある。
【課題を解決するための手段】
【００２３】
そのために本発明は、記録媒体に対して記録ヘッドを相対的に走査させながらインクを吐出して記録を行うインクジェット記録方法であって、前記記録ヘッドは、第１の種類のインクを吐出するための第１の吐出口列と前記第１の種類のインクよりも浸透性の高い第２の種類のインクを吐出するための第２の吐出口列とを前記走査の方向とは異なる方向に配列し、前記第１の吐出口列で画像を完成させる前記走査の回数がｍ（ｍ：正の整数）、前記第２の吐出口列で画像を完成させる前記走査の回数がｎ（ｎ：正の整数で、ｍとｎは異なる）で、ｍとｎのうち少なくとも一方は２以上であり、１回の前記走査毎に当該走査の方向とは異なる方向に記録媒体を搬送する搬送量をＬ（Ｌ：正の数）とする記録を行ない、前記第１、第２の吐出口列それぞれについて、記録媒体の搬送に関わる給紙側最端部の吐出口の位置が、前記第１の吐出口列に対し前記第２の吐出口列が記録媒体の搬送に関わる排紙方向へ（ｍ＋ａ）×Ｌの長さ（ａ：正の整数）離れていることを特徴とする。
【発明の効果】
【００２４】
以上の構成によれば、いわゆるマルチパス記録を行なう場合に、第１、第２の吐出口列それぞれについて、記録媒体の搬送に関わる給紙側最端部の吐出口の位置が、前記第１の吐出口列に対し前記第２の吐出口列が記録媒体の搬送に関わるそれぞれ排紙方向へ（ｍ＋ａ）×Ｌの長さ（ａ:正の整数）離れているので、あるいは第１画像の記録を完成する走査と第２画像の記録にかかる最初の走査との間に、上記第１画像が記録された領域に対して記録が行われない走査が存在するので、第１の吐出口列による画像と、これに隣接して記録される第２の吐出口列による画像は少なくとも１回の走査をおいて記録が行なわれる。これにより、第１の吐出列によるインクが記録媒体に定着する時間を設けることができる。
【図面の簡単な説明】
【００２５】
【図１】本発明を適用可能なインクジェット記録装置の主要部の概略構成を示す斜視図である。
【図２】上記インクジェット記録装置で用いられる記録ヘッドの一従来例における吐出口配列を模式的に示す図である。
【図３】（ａ）、（ｂ）及び（ｃ）は、インクジェット記録装置における理想的な記録状態を説明する図である。
【図４】（ａ）、（ｂ）及び（ｃ）は、インクジェット記録装置における濃度むらを生じる記録状態を説明する図である。
【図５】（ａ）、（ｂ）及び（ｃ）は、本発明の実施形態で用いるマルチパス記録方法による濃度むら低減を説明する図である。
【図６】（ａ）、（ｂ）及び（ｃ）は、上記マルチパス記録方法を説明する図である。
【図７】図１に示したインクジェット記録装置の制御構成を示すブロック図である。
【図８】本発明の第１の実施形態にかかる記録ヘッドのブラックインクとカラーインクのヘッドが別体型である例における吐出口配列を示す模式図である。
【図９】本発明の第１の実施形態にかかる記録ヘッドのブラックインクとカラーインクのヘッドが一体型である例における吐出口配列を示す模式図である。
【図１０】上記一体型および別体型について吐出口が千鳥状に配列された例における吐出口配列を示す模式図である。
【図１１】本発明の第１の実施形態における、マルチパス記録で用いる間引きデータのパターンを模式的に示す図である。
【図１２】本発明の第１の実施形態による記録方法を説明する図である。
【図１３】本発明の第１の実施形態に適用可能な記録ヘッドにおける吐出口配列の他の例を示す模式図である。
【図１４】本発明の第１の実施形態に適用可能な記録ヘッドにおける吐出口配列のさらに他の例を示す模式図である。
【図１５】本発明の第２の実施形態にかかる記録ヘッドのブラックインクとカラーインクのヘッドが別体型である例における吐出口配列を示す模式図である。
【図１６】(ａ)および(ｂ)は、本発明の第２および３の実施形態における、マルチパス記録で用いる間引きデータのパターンを模式的に示す図である。
【図１７】本発明の第２の実施形態による記録方法を説明する図である。
【図１８】本発明の第２の実施形態に適用可能な記録ヘッドにおける吐出口配列の他の例を示す模式図である。
【図１９】本発明の第３の実施形態にかかる記録ヘッドのブラックインクとカラーインクのヘッドが別体型である例における吐出口配列を示す模式図である。
【図２０】本発明の第３の実施形態による記録方法を説明する図である。
【図２１】本発明の第３の実施形態に適用可能な記録ヘッドにおける吐出口配列の他の例を示す模式図である。
【発明を実施するための形態】
【００２６】
以下、図面を参照して本発明の実施形態を詳細に説明する。
【００２７】
図７は、本発明の一実施形態に係るインクジェット記録装置の制御構成を示すブロック図である。なお、本実施形態のインクジェット記録装置の機械的構成は図１に示したものと同様である。但し、以下の各実施形態では、図８等に示すように記録ヘッドの特に吐出口配列が、上述した従来のものとは異なる。
【００２８】
図７に示すように、本実施形態の制御構成は、メインバスライン７０５に対して夫々アクセスする画像入力部７０３、それに対応する画像信号処理部７０４、ＣＰＵ(中央制御部)７００といったソフト系処理構成と、操作部７０６、回復系制御回路７０７、インクジェットヘッド温度制御回路７１４、ヘッド駆動制御回路７１５、キャリッジ１０６の駆動制御回路７１６、紙送りのためのローラ１０４の駆動を制御する制御回路７１７といったハード系処理構成とに大別される。
【００２９】
この構成において、ＣＰＵ７００は、ＲＯＭ７０１とランダムメモリ（ＲＡＭ）７０２を用い、本インクジェット記録装置全体の制御を実行する。すなわち、ＲＯＭ７０１２格納される処理プログラムに従い、以下で詳述される各実施形態の記録ヘッド駆動やそれに伴う記記録紙の搬送を制御する。そして、ＲＡＭ７０２は、その制御処理におけるワークエリアとして用いられる。ＣＰＵ７００は、また、上記記録ヘッドの駆動制御に関し、入力画像情報に対して所定の画像処理を行ない、それによる記録データに基づき、ヘッド駆動制御回路７１５を介して記録ヘッド７１３の吐出を制御する。
【００３０】
また、ＲＡＭ７０２には、例えば、ヘッド回復タイミングチャートを実行するプログラムが格納されており、必要に応じて予備吐出条件等の回復条件を回復系制御回路７０７、記録ヘッド、保温ヒータ等に与える。回復系モータ７０８は、記録ヘッド７１３(１０２)とこれに対向離間するクリーニングブレード７０９やキャップ７１０、吸引ポンプ７１１を駆動する。
【００３１】
ヘッド駆動制御回路７１５は、上述のようにＣＰＵ７００による制御の下、記録データに基づいて記録ヘッド７１３のインク吐出用電気熱変換体の駆動を実行する。また、ヘッド駆動制御回路７１５は、ＣＰＵ７００の指示に従い、ブラックインクの記録ヘッドにおける吐出口の使用範囲の切り替えを行なう。詳しくは、以下の各実施形態で示される黒画像とカラー画像が混在するフルカラー画像を記録するモードでは、ブラックインク記録ヘッドの一部の吐出口のみが用いられ、一方、文字などからなる文書情報を記録するモードでは、記録ヘッドとしてブラックインクの記録ヘッドのみが用いられ、この場合はその記録ヘッドの全ての吐出口を用いるよう切替えを行なう。
【００３２】
なお、記録ヘッド７１３(１０２)のインク吐出用の電気熱変換体が設けられている基板には、保温ヒータが設けられており、ダイオードセンサ７１２が検出する温度に基づいたヘッド温度制御回路７１４の制御によって、記録ヘッド内のインク温度を所望設定温度に加熱調整することができる。また、ダイオードセンサ７１２は、同様に上記基板に設けられているものであり、実質的な記録ヘッド内部のインク温度を測定するためのものである。ダイオードセンサ７１２も同様に、基板にではなく外部に設けられていても良く記録ヘッドの周囲近傍にあっても良い。
【００３３】
以上の装置構成に基づく、本発明のいくつかの実施形態について以下に説明する。
【００３４】
（第１の実施形態）
図８は、本発明の第１の実施形態に係る記録ヘッドを示す図である。本実施形態のブラックインクを吐出する第１の記録ヘッド(以下、ブラックヘッドともいう)１０２Ｂｋは、１インチ当たりＮ＝６００個の密度で（６００ｄｐｉ）、ｎ＝２８個の吐出口を、記録媒体の搬送方向である副走査方向に配列するものである。これに対し、シアン(Ｃ)、マゼンタ(Ｍ)、イエロー(Ｙ)インクを吐出するそれぞれの記録ヘッド１０２Ｃ(以下、カラーヘッドと称し、代表して１つの記録ヘッド１０２Ｃとして示す)は、１インチ当たりＮ＝６００個の密度で（６００ｄｐｉ）ｎ＝１２個の吐出口を同様に副走査方向に配列するものである。そして、カラーヘッド１０２Ｃは、その１２個の吐出口ｎ１〜ｎ１２がブラックヘッド１０２Ｂｋの、同様に１２個の吐出口ｎ１〜ｎ１２の副走査方向の位置が同じくなるように本記録装置に装着される。従って、ブラックヘッド１０２Ｂｋの残りの吐出口ｎ１３〜ｎ２８は、カラーヘッド１０２Ｃの吐出口とは重ならない位置となる。また、ブラックヘッドとカラーヘッド、さらにそれぞれのカラーヘッドは、主走査方向について所定の間隔をおいて配置されている。
【００３５】
本実施形態において、ブラック画像とカラー画像が混在する画像を記録するようなフルカラー記録モードでは、ブラックヘッド１０２Ｂｋの記録に用いられる吐出口をｎ１７〜ｎ２８までの１２個とする。一方、カラーヘッド１０２Ｃでは、吐出口ｎ１〜ｎ１２の１２個全ての吐出口を使用する。なお、黒文字などからなる文書等を記録するモードでは、ブラックヘッド１０２Ｂｋのみ用い、その際は、吐出口ｎ１〜ｎ２８の全てを用いる。
【００３６】
なお、ブラックインクを吐出する記録ヘッドとカラーインクを吐出する記録ヘッドは、図９に示すように一体の記録ヘッドとして構成されても良い。また、図１０（ａ）の分離型や同図（ｂ）の一体型に示すように、吐出口列が１列でなく千鳥状に配列されていてもよく、この時の駆動信号は、記録ヘッドの走査で先行する吐出口群が後行の吐出口群よりもｄ／ｖ〔秒〕だけ早いタイミングで与えられる。すなわち、ｄ〔インチ〕は、奇数番目の吐出口群と偶数番目の吐出口群との間の距離であり、ｖ〔インチ／秒〕は記録ヘッドの主走査の速度である。
【００３７】
また、本実施形態で用いるブラックインクの浸透性は、ブリストウ法による浸透速度の指標であるＫａ値が、１．０［ｍｌ・ｍ-2・ｍｓｅｃ-1/2］、また、カラーインクの同様のＫａ値は、７．０［ｍｌ・ｍ-2・ｍｓｅｃ-1/2］である。すなわち、本実施形態のブラックインクは、カラーインクと比較して浸透性がより低い特性を有している。
【００３８】
本実施形態における記録方法を、図１１および図１２を参照して説明する。
【００３９】
図１１は、相互に補完関係にある３種類の間引きパターンを示す図である。また、図１２は、本実施形態の記録ヘッドを用いた、カラー画像と黒画像が混在した画像を記録するフルカラーモードにおけるマルチパス記録を説明する図である。
【００４０】
図１２において、まず、１走査目では、ブラックヘッド１０２Ｂｋの吐出に用いる１２の吐出口のうち、記録媒体の給紙側とは反対側の端部から数えて(以下でも同様)２５番目〜２８番目までの４つの吐出口ｎ２５〜ｎ２８を用い、図１１（ａ）に示す間引きパターンによって間引きされた記録データに基づき、対応する走査領域の画像（１）を記録する。
【００４１】
続いて、副走査方向に４ｄｏｔ／６００ｄｐｉ相当分の記録媒体の搬送を行ない、その後の２走査目では、ブラックヘッド１０２Ｂｋの２１番目から２４番目までの４つの吐出口ｎ２１〜ｎ２４を用い、図１１（ｂ）に示す間引きパターンによって間引かれた記録データに基づき、一走査目と同じ走査領域を走査して画像（１）を記録する。なお、このとき、その前の１走査目の画像（１）を記録した走査で用いた２５番目から２８番目までの４つの吐出口ｎ２５〜ｎ２８は、図１１（ａ）に示す間引きパターンによって間引かれた記録データに基づく、その対応する走査領域の(黒画像データがあれば)黒画像の記録に用いられる。
【００４２】
なお、本明細書で、記録媒体搬送量について(ａ)ｄｏｔ／(ｂ)ｄｐｉ相当の距離もしくは長さとは、(ｂ)ｄｐｉの密度で配列される吐出口の配列ピッチの(ａ)倍の距離もしくは長さをいう。
【００４３】
次に、前回同様に４ｄｏｔ／６００ｄｐｉ相当分の記録媒体の搬送を行ない、その後の３走査目では、ブラックヘッド１０２Ｂｋの１７番目から２０番目までの４つの吐出口ｎ１７〜ｎ２０を用い、図１１（ｃ）に示す間引きパターンを用いて、対応する領域の走査を行って画像（１）の記録を行ない、その領域の記録を完成させる。この際も、前回同様２１番目から２４番目までの４つの吐出口ｎ２１〜ｎ２４は、図１１（ｂ）の間引きパターンを用い、２５番目から２８番目までの４つの吐出口ｎ２５〜ｎ２８は、図１１（ａ）の間引きパターンを用い、それぞれ対応する走査領域の記録に用いられる。
【００４４】
以上説明した３回の走査で画像（１）の記録を完成させた後、さらに、同様に４ｄｏｔ／６００ｄｐｉ相当分の記録媒体の搬送を行い、その後４走査目の走査を行なう。この走査では、画像（１）が記録されている走査領域には、ブラックヘッドの４つの吐出口ｎ１３〜ｎ１６が対応するが、これらの吐出口は、記録に用いられるべく設定されていないため、この走査領域の記録は行なわれない。すなわち、本実施形態では、黒画像の記録とカラー画像の記録との間に１回の走査分記録が行なわれないような、ブラックインクとカラーインクそれぞれの記録ヘッド相互の吐出口配列関係を定めることにより、ブラックインクが充分に定着するための時間を設けることができる。これにより、次に同じ領域に記録されるカラー画像との境界に生じ得る色間にじみの発生を低減することが可能となる。
【００４５】
なお、この４走査目で、黒画像（１）の走査領域に対する記録が行なわれない上記の走査でも、ブラックヘッドの吐出に使用する１２の吐出口ｎ１７〜ｎ２８は、図１１（ａ）〜(ｃ)のそれぞれ対応する間引きパターンを用いて、それぞれ対応する走査領域の記録に用いられることは、上述と同様である。
【００４６】
以上の４回の走査が終わると、上述と同様に４ｄｏｔ／６００ｄｐｉ相当分の記録媒体の搬送を行い、５走査目の記録を行なう。この５走査目の記録では、カラーヘッド１０２Ｃの１２の吐出口のうち、９番目から１２番目までの４つの吐出口ｎ９〜ｎ１２を用い、図１１（ａ）に示す間引きパターンによる記録データの基づき、黒画像（１）が存在する走査領域の走査を行ない、黒画像（１）に隣接してカラー画像（２）を記録する。この記録では、上述したように、ブラックインクは略定着が完了しているため隣接する黒画像とカラー画像との間のにじみの発生を低減することができる。
【００４７】
なお、この走査では、ブラックインクヘッド１０２Ｂｋの吐出口のうち、カラーヘッドの吐出口ｎ９〜ｎ１２と同じ位置にある吐出口ｎ９〜ｎ１２は、記録に用いられるべく設定されていないので、画像（２）の走査領域にブラックインクが吐出されることがないのはもちろんである。また、ブラックヘッド１０２Ｂｋの吐出口のうち、記録に用いられるべく設定されている１２の吐出口ｎ１７〜ｎ２８は、（ａ）〜(ｃ)のそれぞれ対応する間引きパターンを用いて、それぞれ対応する走査領域の記録に用いられることは、上述と同様であり、以下の各走査でも同様である。
【００４８】
次に、４ｄｏｔ／６００ｄｐｉ相当分の記録媒体の搬送を行なった後、６走査目では、カラーヘッド１０２Ｃの５番目から８番目までの４つの吐出口ｎ５〜ｎ８を用いて、図１１（ｂ）に示す間引きパターンによる記録データに基づき、画像（２）を記録する。この際、カラーヘッド１０２Ｃの９番目から１２番目までの４つの吐出口は、図１１（ａ）に示す間引きパターンによる記録データに基づいて対応する走査領域の記録を行なう。
【００４９】
さらに、４ｄｏｔ／６００ｄｐｉ相当分の記録媒体の搬送を行った後の、７走査目では、カラーヘッド１０２Ｃの１番目から４番目までの４つの吐出口ｎ１〜ｎ４を用いて、図１１（ｃ）に示す間引きパターンによる記録データに基づき、画像（２）の記録を完成させる。この際、５番目から８番目までの４つの吐出口は、図１１（ｂ）に示す間引きパターンを用い、９番目から１２番目までの４つの吐出口は、図１１（ａ）に示す間引きパターンを用いたそれぞれの記録データに基づくそれぞれ対応する走査領域の記録に用いられるのは上述と同様である。
【００５０】
以上説明した記録方法を一般化すると、ブラックヘッドの１０２Ｂｋ使用すべく設定された第１の吐出口列(ｎ１７〜ｎ２８)と、カラーヘッドの使用すべく設定された第２の吐出口列(ｎ１〜ｎ１２)とを、それぞれ記録媒体の給紙側最端部間の距離で、１回の記録媒体の搬送量をＬ(４ｄｏｔ／６００ｄｐｉ相当)、黒画像を完成させるのに必要な走査回数をｍ(３回)とするとき、（ｍ＋１）×Ｌｄｏｔ／Ｎｄｐｉ相当(本実施形態の図８〜図１０に示すヘッド構成では、（３＋１）×４ｄｏｔ／６００ｄｐｉ＝１６ｄｏｔ／６００ｄｐｉ相当)だけ離したそれぞれの記録ヘッドを用いた記録方法である。この記録方法により、マルチパス記録方法においても、上述したように１走査分のブラックインクの定着時間を設けることができ、適切な（ブラックとカラー間）色間にじみの低減を図ることが可能となる。特に、本実施形態においては、ブリストウ法によるＫａ値が低い、すなわち、浸透速度が遅いブラックインクを、ブリストウ法によるＫａ値がより高い、すなわち、より浸透速度が速いカラーインクより先に記録媒体に吐出して記録することにより、記録媒体上での浸透性及び定着性の向上を図ることができ、さらに色間にじみを低減することができる。
【００５１】
なお、本実施形態では、間引きパターンを図１１に示すように固定的なパターンとしたが、例えば画像データとの同調性を防止するためにランダムな間引きパターンを用いてもよく、また、記録ヘッド毎に異なった間引きパターンであっても良い。また、本実施形態では、カラーインクを吐出する第２の吐出口列の吐出口数が１２個とし全吐出口を使用するようにしたが、記録ヘッドが有する吐出口の数はそれ以上でも良く、例えば図１３に示すようにカラーインクヘッドの吐出口がブラックヘッドと同じ数で、記録に使用すべく設定される第２の吐出口列を吐出口をｎ１〜ｎ１２までの１２個の吐出口としても良い。また、ブラックヘッドも同様であり、上記実施形態では２８個の吐出口数を備えるものであるが、それ以上またはそれ以下の吐出口数を備えて、使用すべく設定される第１の吐出口列を上記１２個としても良い。
【００５２】
さらに、上記で一般化して説明したように、ブラックインクを吐出する第１の吐出口列と、カラーインクを吐出する第２の吐出口列とを、それぞれの吐出口列の記録媒体の給紙側最端部間の距離で、本実施形態では、１回の記録媒体の搬送量Ｌ＝４ｄｏｔ／６００ｄｐｉ、ブラックインクを吐出する第１の記録ヘッドで画像を完成させる記録走査回数ｍ＝３とし、（ｍ＋１）×Ｌ＝（３＋１）×４ｄｏｔ／６００ｄｐｉ＝１６ｄｏｔ／６００ｄｐｉの長さだけ離すものとしたが、本発明の適用はこのような長さに限られるものではない。
【００５３】
例えば、図１４に示すように、ブラックインクを吐出させる第１の吐出口列の吐出口数が３０個で、（ｍ＋１）×Ｌ＝１６ｄｏｔ／６００ｄｐｉ相当より長く、また、（ｍ＋２）×Ｌ＝２０ｄｏｔ／６００ｄｐｉ相当より短い１８ｄｏｔ／６００ｄｐｉ相当の長さとしても良い。この場合、ブラックインクを吐出する第１の吐出口列の吐出口ｎ２７、ｎ２３、ｎ１９を使用して完成した画像に対して、カラーインクを吐出させる第２の吐出口列の吐出口ｎ１２を使用して記録する領域の端部が、２ｄｏｔ／６００ｄｐｉ相当ずれているため、記録する画像によっては、黒画像記録とカラー画像の記録との間に部分的に２回の走査分の時間がおかれ、ブラックとカラーの色間でのにじみを防止するのにより良い効果が得られる。
【００５４】
以上の実施形態によれば、以上説明した記録制御を行うことにより、マルチパス記録における色間にじみを防止した高品位な画像を記録することが可能となる。
【００５５】
（第２の実施形態）
図１５は、本発明の第２の実施形態に係るブラックインクとカラーインクそれぞれの記録ヘッドにおける吐出口配列の構成を示す図である。
【００５６】
図１５に示したブラックインクを吐出する記録ヘッド１０２Ｂｋは、１インチ当たりＮ＝６００個の密度で（６００ｄｐｉ）ｎ＝２４個の吐出口（２４吐出口）を配列し、このうち、フルカラーモードでは、吐出口ｎ１９〜ｎ２４の６個についてのみ使用する。一方、カラーインクを吐出する記録ヘッド１０２Ｃは、１インチ当たりＮ＝６００個の密度で（６００ｄｐｉ）でｎ＝１２個の吐出口（１２吐出口）を配列し、フルカラーモードでは、吐出口ｎ１〜ｎ１２の１２個の全ての吐出口を使用する。そして、各記録ヘッド相互の吐出口（吐出口）の位置関係は、副走査方向については、同じ吐出口番号の位置で一致して配列され、主走査方向については、所定の間隔をおいて配置されている。
【００５７】
なお、ブラックヘッド１０２Ｂｋとカラーヘッド１０２Ｃは、第１の実施形態で説明したように、分離型でなく一体型の記録ヘッドとして構成されても良く、また、吐出口が１列でなく千鳥状に配列されていても良く、さらにカラーヘッド１０２Ｃの吐出口数が第１の記録ヘッドと等しい構成でも良い。また、本実施形態で使用するインクは、第１の実施形態で使用したインクと同様の浸透性を有するインクを使用する。
【００５８】
本実施形態の記録方法を図１６および図１７を参照して説明する。図１６は、本実施形態で用いる、相互に補完関係にある２種類の間引きパターンを示す図である。
【００５９】
図１７において、まず、１走査目でブラックヘッド１０２Ｂｋの使用すべく設定されている１９番目から２４番目までの６つの吐出口ｎ１９〜ｎ２４全てを用い、これらに対応する走査領域を走査して記録データに基づく画像（１）記録する。このように本実施形態では、黒画像についてはマルチパスではなく１回の走査でその記録を完了する(以下、これを１パス記録ともいう)。
【００６０】
続いて、副走査方向に６ｄｏｔ／６００ｄｐｉ相当分記録媒体を搬送し、その後、２走査目では、上記１回目の走査で記録した画像（１）が存在する走査領域には、ブラックヘッド１０２Ｂｋの吐出口ｎ１３〜ｎ１８が対応するが、これらの吐出口は使用すべく設定されていないので、この走査領域ではブラックヘッドによる記録は行なわれない。なお、使用すべく設定されているブラックヘッド１０２Ｂｋの吐出口ｎ１９〜ｎ２４に対応する走査領域では、対応する記録データに基づいて６つの吐出口全てを用いて、１パス記録が行なわれるのはもちろんである。
【００６１】
さらに、６ｄｏｔ／６００ｄｐｉ相当分の記録媒体の搬送を行なった後、３走査目では、カラーヘッド１０２Ｃの使用すべく設定されている１２の吐出口のうち、記録媒体の給紙側とは反対側の端部から数えて(以下でも同様)７番目から１２番目までの６つの吐出口ｎ７〜ｎ１２を用い、図１６（ａ）に示す市松模様の間引きパターンによる記録データに基づき、画像（１）が記録された走査領域を走査してカラー画像（２）を記録する。なお、この走査の際、ブラックヘッド１０２Ｂｋの使用すべく設定されている１９番目から２４番目までの６つの吐出口は、対応する走査領域の１パス記録に用いられる。
【００６２】
さらに、６ｄｏｔ／６００ｄｐｉ相当分の記録媒体の搬送を行った後、４走査目では、カラーヘッド１０２Ｃの使用すべく設定されている１２の吐出口のうち、１番目から６番目までの６つの吐出口ｎ１〜ｎ６を用い、図１６（ｂ）に示す上記とは逆の市松模様の間引きパターンによる記録データに基づき、カラー画像（２）の領域を走査し、画像（２）の記録を完成させる。この走査で、カラーヘッドの７番目から１２番目までの６つの吐出口ｎ７〜ｎ１２は、図１６（ａ）に示す市松模様の間引きパターンによる記録データに基づいて対応する走査領域の記録を行ない、また、ブラックヘッドの使用すべく設定されている１９番目から２４番目までの６つの吐出口は、対応する走査領域を１パス記録で記録する。
【００６３】
以上の記録方法を一般化すると、ブラックインクを吐出する第１の吐出口列(ｎ１９〜ｎ２８)と、カラーインクを吐出する第２の吐出口列(ｎ１〜ｎ１２)とを、それぞれの記録ヘッドの記録媒体の給紙方向側最端部の吐出口位置間の距離で、１回の記録媒体の搬送量Ｌ(６ｄｏｔ／６００ｄｐｉ相当)、ブラックインクを吐出する記録ヘッドで黒画像を完成させるのに必要な走査回数ｍ(１)とするとき、（ｍ＋１）×Ｌ(（１＋１）×６ｄｏｔ／６００ｄｐｉ相当＝１２ｄｏｔ／６００ｄｐｉ相当)の長さだけ離すことにより、黒画像の記録とカラー画像の記録との間に１回の走査分の時間をおくことができ、これによってブラックインクの定着を促進することができる。これにより、カラーインクを吐出する記録ヘッドが２回の走査で画像を完成させるマルチパス記録方法と、ブラックインクを吐出する記録ヘッドが１回の走査で画像を完成させる１パス記録方法との組み合わせにおいても、にじみの低減を図ることが可能となる。
【００６４】
なお、本実施形態では、間引きパターンを固定的な市松模様のパターンとしたが、画像データとの同調性を防止するためにランダムな間引きパターンを用いても良い。また、本実施形態では、カラーインクを吐出させる記録ヘッドの吐出口数が１２個とし全吐出口を使用するようにしたが、それ以上の吐出口数を備え、本マルチパス記録方法で使用する吐出口をブラックヘッドと上記の関係にある１２個としても良く、ブラックインクを吐出させる記録ヘッドも同様に２８個の吐出口数を備えるものとしたが、それ以上またはそれ以下の吐出口数を備え、１パス記録で使用する吐出口を上記の６個としても良い。
【００６５】
また、ブラックインクを吐出する第１の吐出口列に対して、カラーインクを吐出する第２の吐出口列における、記録媒体の給紙方向側最端部の吐出口の位置を、本実施形態では、１回の記録媒体の搬送量Ｌ＝６ｄｏｔ／６００ｄｐｉ、ブラックインクを吐出する記録ヘッドで画像を完成させる走査回数ｍ＝１とするときに、（ｍ＋１）×Ｌ＝（１＋１）×６ｄｏｔ／６００ｄｐｉ相当＝１２ｄｏｔ／６００ｄｐｉ相当の長さ離すものとしたが、この長さに限るものではない。
【００６６】
例えば、図１８に示すようなブラックインクを吐出させる第１の吐出口列の吐出口数が２６個で、（ｍ＋１）×Ｌ＝１２ｄｏｔ／６００ｄｐｉ相当より長く、（ｍ＋２）×Ｌ＝１８ｄｏｔ／６００ｄｐｉ相当より短い１４ｄｏｔ／６００ｄｐｉ相当の長さとしても良い。この場合、ブラックインクを吐出する第１の吐出口列によって記録する画像に対して、カラーインクを吐出させる第２の吐出口列を使用して記録する領域は、２ｄｏｔ／６００ｄｐｉ相当ずれているため、記録する画像によっては、黒画像記録とカラー画像の記録との間に部分的に２回の走査分の時間がおかれ、ブラックとカラーの色間でのにじみを防止するのにより良い効果が得られる。
【００６７】
本実施形態においても、以上説明した制御を行うことにより、１パス記録との組み合わせにおいてもマルチパス記録における色間のにじみを防止した高品位な画像を記録することが可能となる。
【００６８】
（第３の実施形態）
図１９は、本発明の第３の実施形態に係るブラックインクおよびカラーインクを吐出する記録ヘッドそれぞれにおける吐出口配列を示す図である。
【００６９】
本実施形態のブラックヘッド１０２Ｂｋは、１インチ当たりＮ＝６００個の密度（６００ｄｐｉ）でｎ＝２４個の吐出口を配列するが、本実施形態のフルカラーモードで使用すべく設定される吐出口は吐出口ｎ１〜ｎ６の６つである。また、カラーヘッド１０２Ｃは、１インチ当たりＮ＝６００個の密度（６００ｄｐｉ）で、ｎ＝１２個の吐出口を配列しており、フルカラーモードでは、吐出口ｎ１〜ｎ１２の１２個の全吐出口を使用する。そして、各記録ヘッド間の吐出口の位置関係は、副走査方向については、ブラックヘッド１０２Ｂｋの吐出口ｎ１３〜ｎ２４がカラーヘッド１０２Ｃの吐出口ｎ１〜ｎ１２とそれぞれ同じ位置となるよう配列される。一方、主走査方向については、所定の間隔をおいて配置されている。なお、ブラックヘッドとカラーヘッドは、第１の実施形態で説明した様に、分離型でなく一体型の記録ヘッドとして構成されても良く、また吐出口列が１列でなく千鳥状に配列されていても良く、さらに、カラーヘッドの吐出口数がブラックヘッドと等しい構成でも良い。また、本実施形態で使用するインクは、第１の実施形態で使用したインクと同様のインクを使用する。
【００７０】
本実施形態のフルカラーモードにおける記録方法を図１６および図２０を参照して説明する。
【００７１】
図２０において、まず、１走査目でカラーヘッド１０２Ｃの使用すべく設定されている１２の吐出口のうち、７番目から１２番目までの６つの吐出口ｎ７〜ｎ１２を用い、図１６（ａ）に示す市松模様の間引きパターンによる記録データに基づき、対応する走査領域を走査してカラー画像（２）を記録する。
【００７２】
続いて、副走査方向に６ｄｏｔ／６００ｄｐｉ相当分の記録媒体の搬送を行なった後、２走査目では、カラーヘッド１０２Ｃの使用すべく設定されている１２の吐出口のうち、１番目から６番目までの６つの吐出口を用い、図１６（ｂ）に示す上記とは逆の市松模様の間引きパターンによる記録データに基づき、対応する走査領域を走査してカラー画像（２）の記録を完成させる。なお、このとき、カラーヘッドの上記７番目から１２番目までの６つの吐出口ｎ７〜ｎ１２は、図１６（ａ）に示す市松模様の間引きパターンによる記録データに基づく、対応する走査領域の記録に用いられる。
【００７３】
さらに、６ｄｏｔ／６００ｄｐｉ相当分記録媒体の搬送を行なった後の３走査目では、ブラックヘッド１０２Ｂｋの吐出口ｎ７〜ｎ１２が上記画像（２）が記録されている走査領域に対応するが、これらの吐出口は使用すべく設定されていないため、この走査領域に対する記録は行なわれない。損の他の走査領域では、カラーヘッド１０２Ｃの１２の吐出口を用いて、それぞれの走査領域の記録が行なわれる。
【００７４】
さらに、６ｄｏｔ／６００ｄｐｉ相当分の記録媒体の搬送を行なった後の４走査目では、ブラックヘッド１０２Ｂｋの使用すべく設定されている１番目から６番目までの６つの吐出口ｎ１〜ｎ６の全てを用い、対応する走査領域の走査を行なって黒画像（１）を１パス記録で記録する。一方、カラーヘッド１０２Ｃの１２の全ての吐出口は、間引きパターンによるそれぞれの記録データに基づいてそれぞれの走査領域の走査による記録に用いられる。
【００７５】
以上のように、ブラックインクを吐出する第１の吐出口列に対して、カラーインクを吐出する第２の吐出口列における、本実施形態では記録媒体の排紙方向側の最端部の吐出口位置に関する、それぞれの吐出口列の距離を、１回の記録媒体の搬送量Ｌ＝６ｄｏｔ／６００ｄｐｉ、ブラックインクを吐出する記録ヘッドにより画像を完成させる走査回数ｍ＝１とするとき、（ｍ＋１）×Ｌ＝（１＋１）×６ｄｏｔ／６００ｄｐｉ相当＝１２ｄｏｔ／６００ｄｐｉ相当とすることにより、カラーヘッドによるマルチパス記録で画像を完成させた後、ブラックヘッドで画像を完成させる場合においても、マルチパス記録に特有の色間にじみを低減することができる。
【００７６】
なお、本実施形態では、間引きパターンを固定的な市松模様パターンとしたが、画像データとの同調性を防止するためにランダムな間引きパターンを用いても良い。また、本実施形態では、カラーインクを吐出させる記録ヘッドの吐出口数が１２として全吐出口を使用するようにしたが、それ以上の吐出口数を備え、マルチパス記録で使用する吐出口を上記１２個としても良く、ブラックインクを吐出させる記録ヘッドも同様に２８個の吐出口数を備えるものとしたが、それ以上またはそれ以下の吐出口数を備えて、１パス記録方法で使用する吐出口を上記６個としても良い。
【００７７】
また、ブラックインクを吐出する第１の吐出口列に対して、カラーインクを吐出する第２の吐出口列の記録媒体の排紙方向側最端部同士の距離を、本実施形態では、１回の記録媒体の搬送量Ｌ＝６ｄｏｔ／６００ｄｐｉ、ブラックインクを吐出する記録ヘッドで画像を完成させる走査回数ｍ＝１とするとき、（ｍ＋１）×Ｌ＝（１＋１）×６ｄｏｔ／６００ｄｐｉ相当＝１２ｄｏｔ／６００ｄｐｉ相当の長さとしたが、この長さに限るものではない。
【００７８】
例えば、図２１に示すようなブラックインクを吐出させる第１の吐出口列の吐出口数が２６個で、（ｍ＋１）×Ｌ＝１２ｄｏｔ／６００ｄｐｉ相当より長く、（ｍ＋２）×Ｌ＝１８ｄｏｔ／６００ｄｐｉ相当より短い１４ｄｏｔ／６００ｄｐｉ相当の長さとしても良い。この場合、カラーインクを吐出させる記録ヘッドの吐出口ｎ７、ｎ１を使用して完成した画像端部と、ブラックインクを吐出する記録ヘッドの吐出口ｎ６を使用して記録する画像端部が本実施形態よりも２ｄｏｔ／６００ｄｐｉ相当分ずれるため、ブラックとカラーの色間でのにじみを防止するのにさらに良い効果が得られる。
【００７９】
本実施形態において、以上のような制御を行うことにより、カラーヘッドで先に画像を完成させた後、ブラックヘッドで画像を完成させる場合においてもマルチパス記録方法における色間のにじみを防止した高品位な画像を記録することが可能なインクジェット記録装置を提供できる。
【００８０】
なお、上記の各実施形態では、各インクの浸透性の観点から黒インクによる記録を先に行ない、その後にカラーインクによる記録を行なうものとしたが、浸透性が画像品位上許容できる範囲にあれば、用いる順序は反対でもよい。この場合、吐出口配列の構成についても、上記で説明したものと全く逆の構成、すなわち、ブラックヘッドがカラーヘッドの吐出口配列を備え、カラーヘッドがブラックヘッドの吐出口配列を備えるようにしてもよい。
【００８１】
また、上述した各実施形態では、黒画像の記録とカラー画像の記録との間に１回の走査分もしくは部分的に２走査分の定着のための時間を設けるものとしたが、走査の回数はこの例に限られないことはもちろんである。黒画像とカラー画像をマルチパス記録により記録する場合に、その色間にじみを効果的に低減できる上記走査の回数は、用いるインクや記録媒体などにも依存するため、これらの要因を考慮して上記走査回数を定めても良く、従って、黒画像とカラー画像の記録の間に２回以上の走査をおくようにしても良い。但し、記録装置のスループットや記録ヘッドの吐出口の数によって定まる長さなどを考慮すると、上述の各実施形態のものが好ましい。
【００８２】
以上説明したように本発明によれば、いわゆるマルチパス記録を行なう場合に、第１、第２の吐出口列それぞれについて、記録媒体の搬送に関わる給紙側または排紙側最端部の吐出口の位置が、前記第１の吐出口列に対し前記第２の吐出口列が記録媒体の搬送に関わるそれぞれ排紙または給紙方向へ（ｍ＋ａ）×Ｌの長さ（ａ:正の整数）離れているので、あるいは第１画像の記録を完成する走査と第２画像の記録にかかる最初の走査との間に、上記第１画像が記録された領域に対して記録が行われない走査が存在するので、第１の吐出口列による画像と、これに隣接して記録される第２の吐出口列による画像は少なくとも１回の走査をおいて記録が行なわれる。これにより、第１の吐出列によるインクが記録媒体に定着する時間を設けることができる。
【００８３】
この結果、マルチパス記録で発生する特有の色間でのにじみを低減した高品位な画像を記録することが可能になる。
【符号の説明】
【００８４】
１０１  インクカートリッジ
１０２、１０Ｂｋ、１０２Ｃ、７１３  記録ヘッド
１０３  紙送りローラ
１０４  補助ローラ
１０５  給紙ローラ
１０６  キャリッジ
３２  吐出口
３３  インクドロップレット
７００  ＣＰＵ
７０１  ＲＯＭ
７０２  ＲＡＭ
７０３  画像入力部
７０４  画像信号処理部
７０５  バスライン
７０６  操作部
７０７  回復系制御回路
７０８  回復系モータ
７０９  ブレード
７１０  キャップ
７１１  ポンプ
７１２  ダイオードセンサ
７１４  ヘッド温度制御回路
７１５  ヘッド駆動制御回路
７１６  キャリッジ駆動制御回路
７１７  紙送り制御回路
【図１】
2011046206.tif 000003
【図２】
2011046206.tif 000004
【図３】
2011046206.tif 000005
【図４】
2011046206.tif 000006
【図５】
2011046206.tif 000007
【図６】
2011046206.tif 000008
【図７】
2011046206.tif 000009
【図８】
2011046206.tif 000010
【図９】
2011046206.tif 000011
【図１０】
2011046206.tif 000012
【図１１】
2011046206.tif 000013
【図１２】
2011046206.tif 000014
【図１３】
2011046206.tif 000015
【図１４】
2011046206.tif 000016
【図１５】
2011046206.tif 000017
【図１６】
2011046206.tif 000018
【図１７】
2011046206.tif 000019
【図１８】
2011046206.tif 000020
【図１９】
2011046206.tif 000021
【図２０】
2011046206.tif 000022
【図２１】
2011046206.tif 000023